(57)【要約】【課題】メーターボックス内の縦管やメーターの施工性やメンテナンス性や更新性を向上させる。【解決手段】集合住宅におけるメーターボックス５を、縦管２，…を収容する縦管収容部５Ａと、メーター３，…を収容するメーター収容部５Ｂとに区画する。そのようにすることにより、縦管２，…やメーター３，…の施工性やメンテナンス性や更新性を向上させることができる。【選択図】図１
2018003311.tif 000002
【特許請求の範囲】
【請求項１】
廊下及び／又はアルコーブにメーターボックスが配置されてなる集合住宅において、
前記廊下及び／又は前記アルコーブに面するように出隅部が形成され、
前記メーターボックスは、該出隅部を形成する２つの出隅面に沿うように配置されることにより水平断面が略Ｌ字状に形成され、
前記メーターボックスの一部であって少なくとも一方の出隅面に沿った部分は、床面から天井面にかけて形成されると共に上下階を貫通する縦管を収容する縦管収容部であり、
前記メーターボックスの一部であって他方の出隅面に沿った部分は、前記床面から離間した状態に配置されると共に前記縦管に連結されたメーターを収容するメーター収容部である、
ことを特徴とする集合住宅。
【請求項２】
複数の前記メーターは前記メーター収容部にて上下に配置されてなる、
ことを特徴とする請求項１に記載の集合住宅。
【請求項３】
前記一方の出隅面は前記アルコーブに面する面であり、
前記他方の出隅面は前記廊下に面する面である、
ことを特徴とする請求項１に記載の集合住宅。
【請求項４】
前記出隅部は、前記廊下の側に出っ張るように配置されてなる水平断面が略矩形状の柱部に形成され、
前記縦管収容部は、前記廊下の側に露出されている前記柱部の一面であって住戸から離間する側の面に沿って形成され、
前記メーター収容部は、前記廊下の側に露出されている前記柱部の一面であって前記住戸に隣接する側の面に沿って形成されてなる、
ことを特徴とする請求項１に記載の集合住宅。
【請求項５】
前記他方の出隅面は、前記廊下又は前記アルコーブと住戸とを区画する壁面を有し、
前記メーター収容部と前記床面との間に露出される前記壁面には開口部が形成された、
ことを特徴とする請求項１に記載の集合住宅。
【請求項６】
前記開口部は、採光のための窓開口である、
ことを特徴とする請求項５に記載の集合住宅。
【請求項７】
前記開口部は、換気のための換気口である、
ことを特徴とする請求項５に記載の集合住宅。
【請求項８】
前記開口部は、エアコンディショナーの冷媒管を挿通するための貫通孔である、
ことを特徴とする請求項５に記載の集合住宅。
【発明の詳細な説明】
【技術分野】
【０００１】
本発明は、廊下及び／又はアルコーブにメーターボックスが配置されてなる集合住宅に関する。
【背景技術】
【０００２】
従来、集合住宅の廊下やアルコーブに配置されるメーターボックスについては種々の構造のものが提案されている（例えば、特許文献１参照）。
【０００３】
図６は、メーターボックスを有する集合住宅の構造の一例を示す平面図であり、図中の符号Ｐは共用廊下を示し、符号Ａはアルコーブを示し、符号３５は、該アルコーブＡに配置されたメーターボックスを示している。また、符号３２Ａは、該メーターボックス３５中に収容された給水管を示し、符号３２Ｂはガス管を示し、符号３２Ｃは排水管を示し、符号３３Ａは水道メーターを示し、符号３３Ｂはガスメーターを示し、符号３３Ｃは電力計を示し、符号３４は、縦方向の配線を含む配線ラックを示している。
【先行技術文献】
【特許文献】
【０００４】
【特許文献１】特開２０１１−１０６１６４号公報
【発明の概要】
【発明が解決しようとする課題】
【０００５】
しかしながら、図示のメーターボックス３５では、縦方向の配線を含む配線ラック３４と、縦方向に延設される設備縦管（つまり、給水管３２Ａとガス管３２Ｂと排水管３２Ｃ）とは離間した位置に配置されているので、施工性やメンテナンス性や更新性が悪くなってしまうという問題があった。
【０００６】
本発明は、上述の問題を解消することのできる集合住宅を提供することを目的とするものである。
【課題を解決するための手段】
【０００７】
本発明の第１の観点は、図１及び２に例示するものであって、廊下（Ｐ）及び／又はアルコーブ（Ａ）にメーターボックス（５，１５）が配置されてなる集合住宅（１，１０）において、
前記廊下（Ｐ）及び／又は前記アルコーブ（Ａ）に面するように出隅部（６，１６）が形成され、
前記メーターボックス（５，１５）は、該出隅部（６，１６）を形成する２つの出隅面（６Ａ，６Ｂ，１６Ａ，１６Ｂ）に沿うように配置されることにより水平断面が略Ｌ字状に形成され、
前記メーターボックス（５，１５）の一部であって少なくとも一方の出隅面（６Ａ，１６Ａ）に沿った部分は、床面（Ｆ）から天井面（Ｓ）にかけて形成されると共に上下階を貫通する縦管（２，…）を収容する縦管収容部（５Ａ，１５Ａ）であり、
前記メーターボックス（５，１５）の一部であって他方の出隅面（６Ｂ，１６Ｂ）に沿った部分は、前記床面（Ｆ）から離間した状態に配置されると共に前記縦管（２，…）に連結されたメーター（３，…）を収容するメーター収容部（５Ｂ，１５Ｂ）であることを特徴とする。
【０００８】
本発明の第２の観点は、図３（ａ）に例示するものであって、複数の前記メーター（３，…）が前記メーター収容部（５Ｂ，１５Ｂ）にて上下に配置されてなることを特徴とする。
【０００９】
本発明の第３の観点は、図１に例示するものであって、前記一方の出隅面（６Ａ）が前記アルコーブ（Ａ）に面する面であり、
前記他方の出隅面（６Ｂ）は前記廊下（Ｐ）に面する面であることを特徴とする。
【００１０】
本発明の第４の観点は、図２に例示するものであって、前記出隅部（１６）が、前記廊下（Ｐ）の側に出っ張るように配置されてなる水平断面が略矩形状の柱部（７）に形成され、
前記縦管収容部（１５Ａ）は、前記廊下（Ｐ）の側に露出されている前記柱部（７）の一面であって住戸（Ｄ）から離間する側の面（１６Ａ）に沿って形成され、
前記メーター収容部（１５Ｂ）は、前記廊下（Ｐ）の側に露出されている前記柱部（７）の一面であって前記住戸（Ｄ）に隣接する側の面（１６Ｂ）に沿って形成されてなることを特徴とする。
【００１１】
本発明の第５の観点は、前記他方の出隅面（６Ｂ）が、前記廊下（Ｐ）又は前記アルコーブ（Ａ）と住戸（Ｄ）とを区画する壁面（図３乃至図５の符号８参照）を有し、
前記メーター収容部（５Ｂ，１５Ｂ）と前記床面（Ｆ）との間に露出される前記壁面（８）には開口部（図３及び図４の符号９，１９参照）が形成されたことを特徴とする。
【００１２】
本発明の第６の観点は、前記開口部（９）が、採光のための窓開口であることを特徴とする。
【００１３】
本発明の第７の観点は、前記開口部（１９）が、換気のための換気口であることを特徴とする。
【００１４】
本発明の第８の観点は、前記開口部が、エアコンディショナーの冷媒管を挿通するための貫通孔（不図示）であることを特徴とする。
【００１５】
なお、括弧内の番号などは、図面における対応する要素を示す便宜的なものであり、従って、本記述は図面上の記載に限定拘束されるものではない。
【発明の効果】
【００１６】
上記した第１及び４の観点によれば、メーターボックス内にて縦管を収容する部分（つまり、前記縦管収容部）とメーターを収容する部分（つまり、前記メーター収容部）とを分離しているので、該縦管や該メーターの施工性やメンテナンス性や更新性を向上させることができる。また、本発明によれば、前記メーター収容部が前記床面から離間した状態に配置されているので、該メーター収容部の水平断面は建築基準法の床面積に含まれないこととなり、その分、住戸のスペースを広く取ることができる。
【００１７】
上記した第２の観点によれば、メーター収容部の水平断面積を小さくして、該メーター収容部の周辺の空間を有効利用することができる。
【００１８】
上記した第３の観点によれば、メーターボックス全体を前記アルコーブに配置する場合に比べて、該アルコーブを広く確保することができる。
【００１９】
上記した第５乃至８の観点によれば、前記開口部によって採光や換気等を行うことができる。
【図面の簡単な説明】
【００２０】
【図１】図１は、本発明に係る集合住宅の構造の一例を示す平面図である。
【図２】図２は、本発明に係る集合住宅の構造の他の例を示す平面図である。
【図３】図３（ａ）は、本発明に係る集合住宅の構造の一例を示す正面図であり、同図（ｂ）は、その斜視図である。
【図４】図４（ａ）は、本発明に係る集合住宅の構造の他の例を示す正面図であり、同図（ｂ）は、その斜視図である。
【図５】図５は、本発明に係る集合住宅の構造のさらに他の例を示す斜視図である。
【図６】図６は、メーターボックスを有する集合住宅の構造の一例を示す平面図である。
【発明を実施するための形態】
【００２１】
以下、図１乃至図５に沿って、本発明の実施の形態について説明する。
【００２２】
本発明に係る集合住宅は、図１及び図２に符号１及び１０で例示するものであって、
・  ガス管や給水管や排水管や電線管などの縦管（設備縦管）２，…
・  ガスメーターや水道メーターや電気メーターなどのメーター３，…
・  給湯器４
などを収容するメーターボックス５，１５を備えている。図１に例示するメーターボックス５は廊下Ｐ及びアルコーブＡの両方に（つまり、該廊下Ｐから該アルコーブＡに掛けて）配置されているが、もちろんこれに限られるものではなく、
・  図２に例示するメーターボックス１５のように、アルコーブには配置せずに廊下Ｐだけに配置するようにしても、或いは、
・  廊下には配置せずにアルコーブＡだけに配置するようにしても（不図示）、
どちらでも良い。つまり、本発明におけるメーターボックスは廊下Ｐ及び／又はアルコーブＡに配置されていれば良い。ここで、廊下Ｐは、いわゆる共用廊下であっても良いが、共用廊下でない廊下（つまり、専有部分となっている廊下）であっても良い。
【００２３】
また、前記メーターボックス５，１５が配置されている部分には、前記廊下Ｐ及び／又は前記アルコーブＡに面するように出隅部６，１６が形成されている。そして、該メーターボックス５，１５は、該出隅部６，１６を形成する２つの出隅面６Ａ，６Ｂ，１６Ａ，１６Ｂに沿うように配置されることに基づき、水平断面が略Ｌ字状となるように形成されている。
【００２４】
さらに、該メーターボックス５の一部（つまり、少なくとも一方の出隅面６Ａに沿った部分であって、以下、“縦管収容部”とする）５Ａは、図３（ａ）（ｂ）等に例示するように、床面Ｆから天井面Ｓにかけて形成されており、上下階を貫通する前記縦管（具体的には、ガス管や給水管や排水管や電線管など）２，…を収容している。一方、該メーターボックス５の他の部分（つまり、他方の出隅面６Ｂに沿った部分であって、以下、“メーター収容部”とする）５Ｂは、前記床面Ｆから離間した状態に配置されると共に前記縦管２に連結されたメーター３を収容している。なお、前記メーターボックス１５の縦管収容部１５Ａも同様であって、床面Ｆから天井面Ｓにかけて形成されており、上下階を貫通する前記縦管（具体的には、ガス管や給水管や排水管や電線管など）２，…を収容している。また、該メーターボックス１５のメーター収容部１５Ｂも同様であって、前記床面Ｆから離間した状態に配置されると共に前記縦管２に連結されたメーター３を収容している。
【００２５】
ところで、図１に示す例では前記縦管収容部５Ａは一方の出隅面６Ａに沿う範囲にのみ形成されているが、もちろんこれに限られるものではなく、一方の出隅面６Ａから他方の出隅面６Ｂに沿う範囲に縦管収容部５Ａが形成されていても良い。その場合は、何本かの縦管２，…は前記一方の出隅面６Ａに沿って配置され、残りの縦管２，…は前記他方の出隅面６Ｂに沿って配置されることとなる。つまり、前記縦管収容部５Ａは、少なくとも一方の出隅面６Ａに沿って形成されていれば足り、一方の出隅面６Ａ及び他方の出隅面６Ｂに沿って形成されていても良い。また、図３（ｂ）に示す例では、該縦管収容部５Ａは前記床面Ｆと前記天井面Ｓにそれぞれ当接するように形成されているが、もちろんこれに限られるものではなく、該床面Ｆや該天井面Ｓとの間に多少の隙間を設けた態様を本発明の範囲から除外するものではない。一方、前記メーター収容部５Ｂにはガスメーターや水道メーターや電気メーターなどの全てのメーターが収容されていることが好ましいが、１つ又は幾つかのメーターが前記縦管収容部５Ａに配置されている態様を本発明の範囲から除外するものではない。
【００２６】
また、図１及び２に示す例では前記給湯器４は前記メーターボックス５，１５（具体的には、該メーター収容部５Ｂ，１５Ｂ）に収容されているが、該給湯器４は該メーターボックス５，１５に収容されていなくても良い。つまり、該給湯器４が該メーターボックス５，１５の近く（外部）に配置されている態様や、該給湯器４が廊下側ではなくベランダ側に配置されている態様を本発明の範囲から除外するものではない。
【００２７】
本発明によれば、メーターボックス５，１５内にて縦管２を収容する部分（つまり、前記縦管収容部５Ａ，１５Ａ）とメーター３を収容する部分（つまり、前記メーター収容部５Ｂ，１５Ｂ）とを分離しているので、該縦管２や該メーター３の施工性やメンテナンス性や更新性を向上させることができる。また、本発明によれば、前記メーター収容部５Ｂ，１５Ｂが前記床面Ｆから離間した状態に配置されているので、該メーター収容部５Ｂ，１５Ｂの水平断面は建築基準法の床面積に含まれないこととなり、その分、住戸のスペースを広く取ることができる。
【００２８】
一方、図３（ａ）に例示するように、複数の前記メーター３は前記メーター収容部５Ｂにて上下に配置されてなるようにすると良い。そのようにした場合には、該メーター収容部５Ｂの水平断面積を小さくして、該メーター収容部５Ｂの周辺の空間を有効利用することができる。
【００２９】
ここで、図１に例示するように、前記一方の出隅面６Ａを前記アルコーブＡに面する面として前記縦管収容部５Ａを該アルコーブＡに面するように配置し、前記他方の出隅面６Ｂを前記廊下Ｐに面する面として前記メーター収容部５Ｂを該廊下Ｐに面するように配置するようにすると良い。そのようにした場合には、メーターボックス全体を前記アルコーブＡに配置する場合に比べて、該アルコーブＡを広く確保することができる。特に、前記アルコーブＡに面する側には前記縦管２だけを収容して奥行きが小さい縦管収容部５Ａが配置されるので、該縦管収容部５Ａの該アルコーブＡにおける床面積を小さくでき、その結果、アルコーブを広く確保することができる。
【００３０】
また、図２に例示するように、水平断面が略矩形状の柱部７を前記廊下Ｐの側に出っ張るように配置して、該柱部７の角部により前記出隅部１６を形成すると共に、該出隅部１６に前記メーターボックス１５を配置するようにしても良い。そして、前記縦管収容部１５Ａは、前記廊下Ｐの側に露出されている前記柱部７の一面であって住戸Ｄから離間する側の面１６Ａに沿って形成し、前記メーター収容部１５Ｂは、前記廊下Ｐの側に露出されている前記柱部７の一面であって前記住戸Ｄに隣接する側の面１６Ｂに沿って形成するようにすると良い。
【００３１】
ところで、前記他方の出隅面６Ｂは、図４（ａ）（ｂ）に例示するように、前記廊下Ｐ又は前記アルコーブＡと住戸Ｄとを区画する壁面８を有し、該壁面８（具体的には、前記メーター収容部５Ｂと前記床面Ｆとの間にて前記廊下Ｐ又は前記アルコーブＡに露出される該壁面８）には開口部９を形成すると良い。そのようにした場合には、該開口部９によって採光や換気等を行うことができる。ここで、図４（ａ）（ｂ）に例示する開口部９は、採光のための窓開口であるが、もちろんこれに限られるものではなく、図５に符号１９で例示するように、換気のための換気口であっても、或いは、エアコンディショナー（不図示）の冷媒管（同じく不図示）を挿通するための貫通孔であっても良い。
【符号の説明】
【００３２】
１                  集合住宅
２，…              縦管
３，…              メーター
５                  メーターボックス
５Ａ                縦管収容部
５Ｂ                メーター収容部
６                  出隅部
６Ａ，６Ｂ          出隅面
７                  柱部
８                  壁面
９                  開口部（窓開口）
１０                集合住宅
１５                メーターボックス
１５Ａ              縦管収容部
１５Ｂ              メーター収容部
１６                出隅部
１６Ａ，１６Ｂ      出隅面
１９                開口部（換気口）
Ａ                  アルコーブ
Ｄ                  住戸
Ｆ                  床面
Ｐ                  廊下
Ｓ                  天井面
【図１】
2018003311.tif 000003
【図２】
2018003311.tif 000004
【図３】
2018003311.tif 000005
【図４】
2018003311.tif 000006
【図５】
2018003311.tif 000007
【図６】
2018003311.tif 000008